(57)【要約】【課題】  目に見えない放射線による人体への影響について、放射線を模擬的に可視化し、必要な測定や模擬実験を可能とする技術を提供する。【解決手段】  箱体(10)と、その箱体(10)が形成する内部空間(20)とにおいて放射線を模して発光する可視光線光源(30)と、その可視光線光源(30)の発する照度を測定する照度計(40)とを備えた放射線の可視化装置、シミュレータである。  箱体(10)は、内部空間(20)に対して外側からの光を遮光するとともに、前記の可視光線光源(30)が発光した可視光線の反射を抑制するように形成する。  照度計(40)を設置する部位と可視光線光源(30)との間には、可視光線光源(30)が発する可視光の一部を減ずる遮光壁(50)を備える。可視光線光源(30)は、内部空間(20)の下部に設置され、内部空間(20)の上方へ向かって照射する面光源(32,33)と、点光源(31)を備える。【選択図】  図１
2016090707.tif 000002
【特許請求の範囲】
【請求項１】
箱体と、その箱体が形成する内部空間とにおいて放射線を模して発光する可視光線光源と、その可視光線光源の発する照度を測定する照度計とを備えた放射線の可視化装置であって、
前記の箱体は、前記の内部空間に対して外側からの光を遮光するとともに、前記の可視光線光源が発光した可視光線の反射を抑制するように形成し、
前記の照度計と可視光線光源との間には、可視光線光源が発する可視光の一部を減ずる遮光壁を備えた放射線シミュレータ。
【請求項２】
前記の可視光線光源は、前記の内部空間の下部に設置され、内部空間の上方へ向かって照射する面光源を備え、
その面光源は、前記の遮光壁に近い部位を消灯し、他の部位を点灯可能に形成した請求項１に記載の放射線シミュレータ。
【請求項３】
前記の可視光線光源は、点光源を備え、
その点光源は、前記の内部空間を移動可能に形成した請求項１または請求項２のいずれかに記載の放射線シミュレータ。
【請求項４】
前記の内部空間を移動可能な移動体を備え、
前記の照度計は、前記の移動体に装着可能とした請求項１から請求項３のいずれかに記載の放射線シミュレータ。
【請求項５】
前記の移動体に装着可能とした照度計が測定した照度の総量を積算する積算装置と、
その積算装置が積算した照度の総量たる積算照度を放射線の被曝線量へ模擬的に換算する演算装置と、を備えた請求項４に記載の放射線シミュレータ。
【請求項６】
前記の照度計が測定した照度を時間軸に伴う変化を表示可能な出力装置を備えた請求項１から請求項５のいずれかに記載の放射線シミュレータ。
【発明の詳細な説明】
【技術分野】
【０００１】
本発明は、放射線の物理的な性質を視覚的に体験学習できる模擬実験装置の技術に関する。
【背景技術】
【０００２】
本発明に関係する先行技術を調査するため、以下の検索式にて、先行する特許技術を検索した。
（放射線＋放射能）×（可視化＋見える）×（疑似＋シミュレーション＋シミュレータ）
この検索式には１３件の公開特許がヒットし、その中から、特許文献１および特許文献２を抽出した。
【０００３】
特許文献１に開示された技術は、放射線照射施設内で作業する作業者の放射線による被曝総量を、作業前に予測する技術の確立するための技術である。
具体的には、放射化されている構造物の核種を予め特定し、構造物表面の放射線量を計算しておき、任意の空間での線量当量率を算出しておく。さらに、作業動作に関する空間データおよび時間データから、作業員の時間軸に依存した被曝量を計算する、というものである。
【０００４】
特許文献２に開示された技術は、動物体から事前選択した１つの解剖学的部分に対して放射線治療を行う際に使用される実時間放射線治療の計画を策定するシステムが開示されている。
【０００５】
これらの技術は、放射線を扱うことを職業とする専門家に対して、事前の情報把握などに役立つ。
特許文献２に開示された技術では、放射線を用いた治療に従事する者のみならず、放射線治療を受ける予定の患者といった「特定の人」に対する情報提供にも用いることが可能である。  特定の人の一例である「放射線治療を受ける予定の患者」にとっては、病気の治療という積極的な効果を前提としている。そのため、専門的な知識に乏しくても、提供される情報を受け入れやすいという心理が作用する。
【先行技術文献】
【特許文献】
【０００６】
【特許文献１】特開２０００−２２１２９２公報
【特許文献２】特開２００４−４１７２５号公報
【発明の概要】
【発明が解決しようとする課題】
【０００７】
前述した特許文献１および２は、専門家や特定の人（放射線治療を受ける予定の患者）に対する情報提供は可能であるが、不特定多数の人に対する情報提供には、向いているとは言えなかった。
ここで、「不特定多数の人」とは、放射線に対して過剰な恐怖心を抱いている人、漠然とした不安を抱えている人、などである。こうした「不特定多数の人」にとっては、治療といった放射線の積極的な（プラス面の）活用が想定されておらず、被曝というマイナス面しか想定されていないことが、放射線が目に見えないことと相まって、過剰な恐怖心、漠然とした不安に繋がっていると考えられる。
【０００８】
放射線、放射性物質を原因とする外部被曝、放射性物質の除染といった事柄についての情報を、専門的な知識に乏しい不特定多数の人へ適切に伝達することに寄与する技術が求められている。
また、専門家の養成をする教育機関（たとえば、大学の医学部や放射線技師を養成する専門学校）においても、ほぼ同様のニーズがある。専門家になる前の学生らは専門的な知識に乏しい不特定多数の人であり、教育機関としては、正しい知識や情報を適切に伝達することが求められているからである。
【０００９】
たとえばレントゲンやガン治療などに従事する医師や、レントゲン撮影などに関わる放射線技師は、放射線による外部被曝に関する正しい知識を、学生時代などに専門知識として学習する。
しかし、そうした学習機会において、最も進んだ学習教材でも、学習用の動画を学習者が再生して閲覧する程度である。模型や測定装置などを使ってシミュレーションするような装置は、提供されていないため、模擬実験などによって体験学習する機会はない。
【００１０】
本発明が解決しようとする課題は、目に見えない放射線に関する性質や、その性質を考慮した効果的な除染、人体への影響について、放射線を模擬的に可視化し、必要な測定や模擬実験を可能とする技術を提供することにある。
【課題を解決するための手段】
【００１１】
生物に対する放射線の影響を調べるためには、その放射線の単位時間あたりの強さを測定すること、その放射線が照射された総量を測定すること、という二点が重要となる。
光の強さについては、照度計が用いられる。光の強さは、光源が点光源であれば、その点光源からの距離の二乗に反比例する。
光の総量については、照度計にて計測された光の強さを積算していく装置があればよい。
本発明者は、以上を踏まえ、放射線を模擬的に可視化し、必要な測定や模擬実験を可能とする装置（シミュレータ）を開発した。
【００１２】
（本発明）
本発明は、箱体(10)と、その箱体(10)が形成する内部空間(20)とにおいて放射線を模して発光する可視光線光源(30)と、その可視光線光源(30)の発する照度を測定する照度計(40)とを備えた放射線の可視化装置に係る。
前記の箱体(10)は、内部空間(20)に対して外側からの光を遮光するとともに、前記の可視光線光源(30)が発光した可視光線の反射を抑制するように形成し、
前記の照度計(40)を設置する部位と可視光線光源(30)との間には、可視光線光源(30)が発する可視光の一部を減ずる遮光壁(50)を備えた放射線シミュレータである。
【００１３】
（用語説明）
「箱体(10)」は、一の側面を開放可能に形成する、または一の側面を存在させない五面の箱体であると、使い勝手が良い。
「可視光線光源(30)」としては、視覚を通じて見ることができる光、すなわち、波長が３８０ナノメートル〜７８０ナノメートルの光を発する光源であり、たとえば、ＬＥＤ光源を用いる。発行時の発熱が小さいので、安全性が高いからである。
光の波長（すなわち光の色）に関しては、可視波長域であればいずれでも良いが、人間の比視感度特性を考慮した波長、例えば、感度の良い緑の波長域を採用することも良い。前述の可視光線光源(30)の色（波長）についても同様であるが、赤・緑・青の全ての混合色である白色としても良い。
【００１４】
「照度計(40)を設置する部位」は、内部空間(20)において、模擬的に「室内」を表す。
なお、照度計(40)にて測定する照度の単位（ルクス）は、放射線量率（マイクロシーベルト／時間）として換算することができる。
「遮光壁(50)」は、可視光線光源がかなり透過できるもののほか、ほぼ完全に遮断できるものまでを含む。
【００１５】
（作用）
内部空間(20)は、箱体(10)が外側からの光を遮光し、可視光線光源(30)が発光した可視光線の反射を抑制するので、可視光線光源(30)が発光した可視光線を照度計(40)にて測定することができる。
模擬的に室内を示す内部空間(20)では、遮光壁(50)によって可視光線光源(30)が発する可視光の一部を減ずる。すなわち、遮光壁(50)を隔てた室内では、可視光が減じられた状態の照度を測定できることを、本発明に係る放射線シミュレータにて示すことができる。
【００１６】
（本発明のバリエーション１）
本発明は、以下のように形成すると、より好ましい。
すなわち、前記の可視光線光源(30)は、前記の内部空間(20)の下部に設置され、内部空間(20)の上方へ向かって照射する面光源(32,33)を備え、  その面光源(32,33)は、前記の遮光壁(50)に近い部位(21)を消灯するとともに、他の部位(22)を点灯可能に形成することができる。
「面光源(32,33)」は、たとえば、小さな点光源を平面的に多数配置するとともに、発光した可視光を拡散させる拡散板と組み合わせることで形成する。
【００１７】
放射能で汚染された地域（たとえば、福島第一原子力発電所の周囲）には、広範囲にわたって、その土地や建物などへ放射性物質が付着している。その付着している放射性物質を取り除く作業を「除染作業」という。すなわち、放射線を発する放射性物質を取り除くことによって、放射線の源をなくすことが「除染作業」である。
面光源(32,33)について、遮光壁(50)に近い部位(32)を消灯するとともに他の部位(33)を点灯可能とすることで、たとえば、室内を模擬した空間に近い箇所についてのみ除染作業が終了し、遠い部位(32)の除染作業が後回しとされた状態を模擬的に作り出すことができる。
【００１８】
（本発明のバリエーション２）
本発明は、前記の可視光線光源として点光源(31)を備えることとし、  その点光源(31)は、前記の内部空間(22)を移動可能に形成してもよい。
放射性物質が周囲に比べて部分的に多く集まっている場所を「ホットスポット」と称する。ホットスポットは、優先的に除染作業がなされるべき箇所である。
点光源(31)は、放射線の値が周囲に比べて非常に高い、いわゆるホットスポットを模擬的に示している。
【００１９】
（作用）
ホットスポットを模擬した点光源(31)が存在する状態での照度測定、およびホットスポットである点光源(31)を消灯した状態での照度測定を実行して比較することによって、ホットスポットの除染作業の効果を模擬的に示すことができる。
また、点線源と見なしうるホットスポットの特徴や、このホットスポットから照度計を順次離すことによる距離減衰の効果を模擬的に示すこともできる。
【００２０】
（本発明のバリエーション３）
本発明は、  前記の内部空間(20)を移動可能な移動体(60)を備え、  前記の照度計(の照度センサ41)は、前記の移動体(60)に装着可能としてもよい。
照度計の本体(40)と、照度センサ(41)とを分離できる場合には、照度センサ(41)のみを移動体(60)へ装着する。なお、分離する場合、有線、無線を問わない。
【００２１】
（作用）
移動体(60)は、内部空間(20)における人間の行動を模擬的に示すことができる。
【００２２】
（バリエーション３の更なるバリエーション）
前述した本発明のバリエーション３については、更に以下のような構成を追加することとすれば、より好ましい。
すなわち、前記の移動体に装着可能とした照度計が測定した照度の総量を積算する積算装置と、  その積算装置が積算した照度の総量たる積算照度を放射線の被曝線量へ模擬的に換算する演算装置と、を備える。
【００２３】
（作用）
積算装置が積算照度の単位（ルクス・時間）を積算し、その積算された積算照度を、演算装置が積算線量（被曝線量・マイクロシーベルト）として換算する。
これによって、模擬的に行動した場合の人間の被曝線量をシミュレーションすることができる。
【００２４】
（本発明のバリエーション４）
本発明は、前記の照度計(40)が測定した照度を時間軸に伴う変化を表示可能な出力装置(たとえば液晶モニタ)を備えることとしてもよい。
なお、照度計(40)が瞬間的な値しか測定できない場合には、測定時間の総量を積算する演算装置を別途備えることとし、その演算装置が積算した積算値をも前記の出力装置へ出力できることとすると、好ましい。
【００２５】
出力装置は、照度計(40)が測定した照度を時間軸に伴う変化を表示する。その表示によって、所定時間にどのくらいの放射線を浴びたのかを積算する、ということを模擬的に実験できる。
【発明の効果】
【００２６】
本発明によれば、目に見えない放射線による人体への影響について、放射線を模擬的に可視化し、必要な測定や模擬実験を可能とする技術を提供することができた。
【図面の簡単な説明】
【００２７】
【図１】本発明に係る第一の実施形態を示す斜視図である。
【図２】本発明に係る第一の実施形態を示す組立斜視図である。
【図３】ホットスポットを模した点光源ＬＥＤからの距離によって照度が減衰する様子を示すグラフである。
【図４】遮光壁の色や枚数を変更した場合の室内への透過率を示すグラフである。
【図５】除染範囲、除染場所を変更した場合の照度を示すグラフである。
【図６】人間の行動を模した場合の照度を示すグラフである。
【発明を実施するための形態】
【００２８】
以下、本発明の実施形態について図面を参照して説明する。ここで使用する図面は、図１から図６である。
【００２９】
放射能に関する人体への影響（外部被曝）を知るためには、放射性物質と、その放射性物質が発する放射線（特にガンマ線）との区別をすることが前提である。また、放射線は、光と同じく、電磁波の一種である。
たとえば、２０１１年３月の福島第一原子力発電所の事故に伴って排出された放射性物質（が発する放射線）を原因とする外部被曝が、社会問題となっている。
【００３０】
さて、理想的な除染作業は、汚染された地域の全てを万遍なく速やかに実行することである。しかし、汚染地域が広範囲に渡っているので、効率的かつ効果的な除染作業が望まれる。汚染された地域の全てを万遍なく速やかに実行するということは、非現実的である、とも言える。
すなわち、効率的かつ効果的な除染作業は、人間が生活および活動している拠点や生活圏を中心として実行することであろう。放射線も電磁波の一種であるから、線源の形状が点状であれば放射線の強さも放射線源からの距離の二乗に反比例する。また、線源の形状が点状でなく面状であっても、無限平板でないことや空気による減衰があることで、距離が離れることで減衰する。
【００３１】
たとえば、屋内における個人の被曝線量の観点からは、住居近傍の屋外除染を実行すれば、全地域の除染作業をした場合と、ほぼ変わらない効果を得られることが分かる。
ホットスポットが生活圏に存在する場合には、そのホットスポットは速やかに除染作業を実行すべきであるが、それ以外は、優先順位を定めて作業することが現実的である。
【００３２】
一方、「放射線による外部被曝」についての正しい知識を持たない人は、「汚染された地域の全てを万遍なく、しかも素早く」除染することを望むことになりやすい。前述したように、非現実的な要望とも言える。非現実的な要望が一般化してしまっては、効率的かつ効果的な除染作業のかえって妨げにもなる。
正しい知識の普及が、刻々と過ぎる時間と限られた人的資源とを有効に活用するために必要不可欠である、と言える。しかし、「放射線が目に見えない」ため、正しい知識を持たない人に対する正しい知識の伝達を困難にしている。
上述の状況に対して、本実施形態に係る装置は、目に見えない放射線による人体への影響について、放射線を模擬的に可視化し、必要な測定や模擬実験を可能とし、正しい知識の普及に寄与することと期待される。
【００３３】
（図１および図２）
図１および図２に示すのは、手前側を開放した五面の箱体１０と、その箱体１０が形成する内部空間２０とにおいて放射線を模して発光する可視光線光源３０と、その可視光線光源３０の発する照度を測定する照度計４０とを備えた放射線の可視化装置である。
前記の箱体１０は、内部空間２０に対して外側からの光を遮光するため、外面を黒塗りとしている。また、可視光線光源３０が発光した可視光線の反射を抑制するように、内面を黒塗りのつや消しとしている。
【００３４】
箱体の天板１１は、横６００ミリメートル、奥行き４００ミリメートルとした。また、側板１２は、縦３５０ミリメートル、奥行きは、上部が４００ミリメートル。下部が３００ミリメートルとした。奥行きが下部に比べ上部が長くなっているのは、本装置の置かれる環境として室内が想定されるが、その場合に天井灯など外部からの光の漏れ込みを防ぐためである。
【００３５】
なお、手前側を開放しているが、持ち運びの際には、内部を保護するための手前板（図示を省略）を装着することとしてもよい。
前述のサイズとしたのは、模擬実験を見ていただくのに必要な寸法であり、持ち運びが可能な寸法として合理的であったために採用した寸法である。したがって、本発明がこのサイズに限られることを意図したものではない。
【００３６】
箱体の底板１３には、内部空間２０を横二つに区切るための遮光壁５０が着脱できる遮光壁固定具１９を備えている。  この遮光壁固定具１９は、二枚の遮光壁（第一壁５１，第二壁５２）を装着可能である。遮光壁の枚数は、二枚よりも多くてもよい。
遮光壁５０を隔てて図１における左側の内部空間が室内空間２１、右側の内部空間が室外空間２２を模している。
【００３７】
可視光線光源３０は、室外空間２２に設置される面光源であり、一例としてＬＥＤが採用されている。
室外空間２２における底板１３の下側には、第一面光源３２、第二面光源３３を設置している。第一面光源３２、第二面光源３３とも、多数の点光源であるＬＥＤを並べたものであり、そのＬＥＤから発光される光を、半透明の乳白色アクリル板である底板１３が拡散することによって、面光源となっている。地表面に放射性物質が付着した状態を模している。
【００３８】
第一面光源３２を消灯し、第二面光源３３を点灯させる、第一面光源３２、第二面光源３３ともに点灯させる、などの点灯制御が可能である。制御ではなく、着脱可能とすることによって、消灯させる代わりに取り外す、という構成としてもよい。
点光源３１は、一例として、人間の比視感度特性を考慮した波長として緑色ＬＥＤを採用しており、室外空間２２を移動可能としている。なお、このＬＥＤには、指向性のある光をなるべく全方位に拡散させるため、半透明のゴム製の光拡散用キャップ３１−１を装着させている。
【００３９】
前述した遮光壁５０は、厚さ５ミリメートルのアクリル板を採用する。可視光線光源が少々透過できるもののほか、をほぼ完全に遮断できるものまで、複数種類を用意しており、その中の１枚を装着したり、２枚を選択して装着したりすることができる。
装着のバリエーションと照度との関係は、図４において説明する。
【００４０】
照度計４０は、受光センサ４１を室内空間２１へ設置し、その受光センサ４１が受光した光の照度を計測するとともに計測結果を液晶画面へデジタル表示させる本体は天板１１の上面手前側へ固定している。
なお、受光センサ４１は、箱体１０における底板１３に対して移動可能な移動体６０へ装着している。すなわち、移動体６０およびその移動体６０へ装着された受光センサ４１は、室内空間２１および室外空間２２を移動させながら照度測定をすることも可能としている。
【００４１】
（図３）
図３は、点光源３１を点灯させた状態で遮光壁５０を取り除き、室内空間２１の所定位置へ移動体６０を固定する。そして、受光センサ４１と点光源３１との距離を変更しながら、受光センサ４１の照度を測定した結果を示している。
受光センサ４１と点光源３１との距離を３センチメートルから１５センチメートルまでを、３センチメートルごとに５回測定し、点光源３１を消灯した時の値をバックグラウンドとしてこの値を引いた上で、その平均値をプロットしている。  また、比較のために、距離の二乗に反比例するという値を６，９，１２，１５センチメートルの位置でプロットしている。
【００４２】
なお、その誤差については、前述したバックグラウンドが変動することに起因すると考えられる。
この結果、ホットスポットから２倍離れると、照度は約４分の１に減衰する、ということをほぼ示している、と言える。
【００４３】
（図４）
図４は、遮光壁の種類によって、室内空間２１の照度がどのように変化するか、を示している。
点光源３１を点灯させた状態で室外空間２２の所定位置へ設置し、固定する。また、室内空間２１の所定位置へ移動体６０を固定する。すなわち、受光センサ４１と点光源３１との距離を変化させずに、遮光壁の種類を変更した場合の照度変化を測定したのである。
遮光壁を設けない場合の測定照度を１００％とすると、無色の遮光壁を採用した場合には約９５％が透過している。
【００４４】
黄色の遮光壁を採用した場合には約８０％が透過している。橙色の遮光壁を採用した場合には約３５％が透過し、グレーの遮光壁を採用した場合には約１８％が透過する。
また、赤色の遮光壁を採用した場合には約９％が透過し、グレーの遮光壁を２枚採用した場合には約５％が透過する。
【００４５】
以上のように、遮光壁の種類によって透過率（遮光率）が変化すること、遮光壁の枚数を増やすことで透過率が下がること、などを模擬的に確かめることができる。
つまり、実際の放射線でも、遮蔽壁（建物の壁）の材質や厚さによって、透過率（＝１−遮蔽率）が変化することを間接的に模擬できる仕様となっている。たとえば、放射線に対して黄色の遮光壁であれば木造家屋、グレーの遮光壁であればコンクリート壁にそれぞれ対応する、といった具合である。
【００４６】
（図５）
図５では、点光源３１を用いず、室内空間２１の所定位置へ移動体６０（すなわち受光センサ４１）を固定し、面光源３２，３３にて実験している。
状態１は、第一面光源３２、第二面光源３３ともに点灯した状態、すなわち、除染作業をしていない状態を模している。また、状態４は、第一面光源３２、第二面光源３３ともに消灯した状態、すなわち、除染作業を完了した状態を模している。
【００４７】
なお、状態４でも４０ルクス弱の照度が測定されるのは、外部からの光を遮光できないからである（いわゆるバックグラウンド）。
状態１の照度（約１５０ルクス）および状態４の照度（約４０ルクス）を基準とすれば、約１１０ルクス分の照度が除染作業をしていない状態と想定できる。
【００４８】
状態２は、遠方除染、すなわち、室内空間２１から遠い場所の除染を済ましたものの、室内空間２１に近い場所は除染されていない状態を示している。具体的には、第一面光源３２を点灯させ、第二面光源３３を消灯させた状態である。この状態の照度は、約１４０ルクス（外部からの光を遮光したとすれば約１００ルクス）である。つまり、９％程度の効果しかないことを意味する。
【００４９】
状態３は、近傍除染、すなわち、室内空間２１から近い場所の除染を済ませ、室内空間２１に遠い場所は除染されていない状態を示している。具体的には、第一面光源３２を消灯させ、第二面光源３３を点灯させた状態である。この状態の照度は、約５０ルクスであり、９０％以上の除染効果が得られることを意味する。
【００５０】
状態３は、建物に近い場所の除染が終了し、建物から遠い場所の除染は終了していない状態を模していることとなるが、近い場所の除染さえ済めば、９０％の除染効果が得られるということでもある。このことを理解していただければ、「汚染された地域の全てを万遍なく、しかも素早く」除染するといった実現困難なことを要望する方に対し、効率的かつ効果的な除染作業への理解協力を得やすい、と言える。
【００５１】
レントゲンやガン治療などに従事する医師や、レントゲン撮影などに関わる放射線技師を育てる教育機関においても、放射線による外部被曝に関する正しい知識を、模擬体験することができるシミュレータとして、有効な学習教材であろう。
【００５２】
（図６）
図６は、屋内から屋外へ移動し、ホットスポットの近傍を通過し、屋内へ戻ったという行動パターンによる放射線量の模擬実験である。
屋内と屋外との狭間にて照度が大きく変化することから、遮光壁の存在意義が理解できる。
また、ホットスポットの近傍にて急激に照度が上がるが、そこでの滞在時間が短ければ、全体の積算照度に占める割合は大きくならない。そのことから、ホットスポットをむやみに怖がる必要はないことが理解できる。
【００５３】
以上、典型的な状態や場合について説明したが、点光源３１、移動体６０を移動させたり、面光源３２，３３の点灯消灯パターンを組み合わせたりするなどして、様々な状態を模擬的に再現することが可能である。
また、本件装置は、持ち運びが可能であるから、公共の場へ持って行って模擬実験とともに説明することが、簡単に実行できる。
【００５４】
照度計４０については、図１および図２の説明では、特に言及しなかったが、照度計４０が測定していた測定時間における照度の総量を積算する演算装置（パーソナルコンピュータ）を別途備えることとし、その演算装置が積算した積算値をも、パーソナルコンピュータの出力モニタへ出力できるようにしている。
【００５５】
移動体６０については、底板１３の上面へレールを敷設して、図６のような測定を実行することとしてもよい。また、底板１３の上面をランダムに移動する移動装置を備えたり、遠隔操作が可能であるように形成したりしてもよい。
【産業上の利用可能性】
【００５６】
本発明は、放射性物質を除去する除染サービス業、放射線を扱う医療などのサービス業、放射線測定のデータ収集管理など運営するデータサービス業、測定データに関するソフトウェア開発業、教育産業などにおいて、利用可能性を有する。
【符号の説明】
【００５７】
１０  ；箱体                            １１  ：天板
１２  ；側板                            １３  ；底板
１９  ；遮光壁固定具
２０  ；内部空間                        ２１  ；室内空間
２２  ；室外空間
３０  ；可視光線光源                    ３１  ；点光源
３１−１；光拡散用キャップ
３２  ；第一面光源                      ３３  ；第二面光源
４０  ；照度計                          ４１  ；受光センサ
５０  ；遮光壁                          ５１  ；第一壁
５２  ；第二壁
６０  ；移動体
【図１】
2016090707.tif 000003
【図２】
2016090707.tif 000004
【図３】
2016090707.tif 000005
【図４】
2016090707.tif 000006
【図５】
2016090707.tif 000007
【図６】
2016090707.tif 000008